(57)【要約】      （修正有）【課題】ブラケットを旋回可能にしてもワイヤロープが吊り荷と接触し難い簡易クレーンを提供する。【解決手段】ビティ仮設足場３０の建枠部材３１に締結された簡易クレーン本体４０は、水平面内で旋回自在なブラケット４３を有し、ブラケット４３の前部に荷側滑車４７が懸吊されている。建枠部材３１の内、簡易クレーン本体４０の下側に装着された補助具５０は建枠部材３１に締結金具で装着可能な基部支柱５１を備え、基部支柱５１に支軸により水平面内で旋回自在にウインチ側シーブ支持部材が軸支されている。ウインチ側シーブ支持部材の下部にウインチ側シーブ５６が装着されている。ウインチ側シーブ５６のロープ入り口はブラケット４３、ウインチ側シーブ５６の旋回軸と一致している。下方に配置したウインチ８０のワイヤロープ８１をウインチ側シーブ５６を介して荷側滑車４７に巻装し、吊りフック８２を垂下可能とした。【選択図】図２
2018003492.tif 000002
【特許請求の範囲】
【請求項１】
簡易クレーン本体と補助具を組み合わせた簡易クレーンであって、
簡易クレーン本体は、
仮設足場の構造物に着脱自在かつ水平面内で旋回自在に装着可能なブラケットと、
ブラケットの前部に設けられた荷側滑車取り付け部と、
を備え、
補助具は、
仮設足場の構造物の内、簡易クレーン本体の下側に着脱自在に装着可能な基部部材と、
基部部材に水平面内で旋回自在に軸支されたウインチ側シーブ支持部材と、
ウインチ側シーブ支持部材の下部に装着されたウインチ側シーブと、
を備え、
ウインチ側シーブのロープ入り口はウインチ側シーブ支持手段の旋回軸の延長線と一致しているとともに、
ウインチ側シーブ支持部材の旋回軸が簡易クレーン本体のブラケット旋回軸と一致するように補助具の基部部材が仮設足場の構造物に装着可能に形成されており、
ウインチ側シーブの下方からウインチ側シーブに向けて仮設足場に沿って鉛直に上方へ配設したウインチワイヤロープをウインチ側シーブを介して簡易クレーン本体の荷側滑車取り付け部に取り付けた荷側滑車に巻装し、ウインチワイヤロープ先端の吊りフックを垂下可能としたこと、
を特徴とする簡易クレーン。
【請求項２】
ブラケットの前部に、荷側滑車取り付け部に代えて荷側シーブを設けたこと、
を特徴とする請求項１記載の簡易クレーン。
【請求項３】
水平面内で旋回自在なブラケットと、ブラケットの前部に設けられた荷側滑車取り付け部と、を備えた簡易クレーンが着脱自在に装着された仮設足場の構造物の内、簡易クレーンの下側に着脱自在に装着可能な基部部材と、
基部部材に水平面内で旋回自在に軸支されたウインチ側シーブ支持部材と、
ウインチ側シーブ支持部材の下部に装着されたウインチ側シーブと、
から成り、
ウインチ側シーブのロープ入り口はウインチ側シーブ支持手段の旋回軸の延長線と一致しているとともに、
ウインチ側シーブ支持部材の旋回軸が簡易クレーンのブラケット旋回軸と一致するように基部部材が仮設足場の構造物に装着可能に形成されており、
ウインチ側シーブの下方からウインチ側シーブに向けて仮設足場に沿って鉛直に上方へ配設したウインチワイヤロープをウインチ側シーブを介して簡易クレーンの荷側滑車取り付け部に取り付けた荷側滑車に巻装し、ウインチワイヤロープ先端の吊りフックを垂下可能としたこと、
を特徴とする簡易クレーンの補助具。
【請求項４】
簡易クレーンはブラケットの前部に、荷側滑車取り付け部に代えて荷側シーブを設けてあること、
を特徴とする簡易クレーンの補助具。
【発明の詳細な説明】
【技術分野】
【０００１】
本発明は簡易クレーン、簡易クレーンの補助具に係り、とくにマンション、ビル等の建築物の新築・改修工事現場等の仮設足場に設置して足場部材、建築部材の荷揚げをする場合に好適な簡易クレーン、簡易クレーンの補助具に関する。
【背景技術】
【０００２】
マンション、ビル等の新築・改修工事現場等では、仮設足場の組み上げ、建築物内への資材の搬入のため、仮設足場に簡易クレーンを設置し、地上から仮設足場の上の段に仮設足場の資材、建築物の資材を吊り上げ、足場内に取り込むようにしている。
図１に建築物の改修工事現場で用いられる従来の簡易クレーンの設置例を示す。仮設足場１の上段の建枠部材２の前側の縦枠２Ａに、複数のクランプ３を用いて基部支柱４が着脱自在に締結されており、この基部支柱４に前方へ延設されたブラケット５が装着されている。ブラケット５の前端には滑車取り付け部６を介して荷揚げ滑車７が懸吊されている。仮設足場１の地上近くに設置されたウインチ８から巻き出されたワイヤロープ９が荷揚げ滑車７に巻き掛られたのち下方に垂下されて先端に吊りフック１０が装着されている。吊りフック１０には玉掛けワイヤ１１と、介錯ロープ１２が掛装されている。地上の作業員Ａはリモコン１３により、ウインチ８からワイヤロープ９を巻き出させて玉掛けワイヤ１１を地上近くに下ろし、吊り荷としての荷揚げ資材（足場部材）１４に玉掛けする。そして、リモコン１３によりウインチ８を稼動しワイヤロープ９を巻き取らせ、地上から仮設足場１の上の段のステージの高さに荷揚げし、ウインチ８を止める。仮設足場１の上の段のステージの作業員Ｂは荷揚げされた荷揚げ資材１４を足場内に取り込む。荷揚げ中、地上の作業員Ａは介錯ロープ１２を操作して吊り荷の振れを抑える。
【０００３】
ところで、ブラケット５の荷揚げ滑車７の直下にウインチ８を設置すると、ワイヤロープ９が吊り荷に接触したり絡んだりして、荷揚げ作業に支障が生じる。このため、ウインチ８をブラケット５の荷揚げ滑車７の直下から離れた場所に設置し、ワイヤロープ９の途中を滑車１５に掛け、この滑車１５を引っ張りワイヤ１６により側方の建枠部材１７へ引っ張り、吊り荷とワイヤロープ９との接触を回避するようにしている。このとき、ブラケット５の先端には側方（図１の左方）への引っ張り力が掛かる。ブラケット５は元々、基部支柱４に対し水平面内で左右に旋回自在に軸支されているが、側方への引っ張り力でブラケット５の先端が側方へ旋回してしまうと、荷揚げ滑車７が仮設足場１に接近し過ぎて吊り荷が仮設足場１に接触してしまうため、クランプ等を用いてブラケット５が前方へ向く位置で基部支柱４に旋回不能に固定するようにしている。このため、仮設足場１の上の段のステージの作業員Ｂは荷揚げ滑車７の近くまで上昇した吊り荷を、手を伸ばして引っ張って足場内に無理に取り込まなければならず、とても危険であった。
【先行技術文献】
【特許文献】
【０００４】
【特許文献１】実用新案登録第３０２３６８３号公報
【発明の概要】
【発明が解決しようとする課題】
【０００５】
本発明は上記した従来技術の問題に鑑みなされたもので、ブラケットを旋回可能にしてもワイヤロープが吊り荷と接触し難くすることの可能な簡易クレーン、簡易クレーンの補助具を提供することを、その目的とする。
【課題を解決するための手段】
【０００６】
請求項１記載の発明では、
簡易クレーン本体と補助具を組み合わせた簡易クレーンであって、
簡易クレーン本体は、
仮設足場の構造物に着脱自在かつ水平面内で旋回自在に装着可能なブラケットと、
ブラケットの前部に設けられた荷側滑車取り付け部と、
を備え、
補助具は、
仮設足場の構造物の内、簡易クレーン本体の下側に着脱自在に装着可能な基部部材と、
基部部材に水平面内で旋回自在に軸支されたウインチ側シーブ支持部材と、
ウインチ側シーブ支持部材の下部に装着されたウインチ側シーブと、
を備え、
ウインチ側シーブのロープ入り口はウインチ側シーブ支持手段の旋回軸の延長線と一致しているとともに、
ウインチ側シーブ支持部材の旋回軸が簡易クレーン本体のブラケット旋回軸と一致するように補助具の基部部材が仮設足場の構造物に装着可能に形成されており、
ウインチ側シーブの下方からウインチ側シーブに向けて仮設足場に沿って鉛直に上方へ配設したウインチワイヤロープをウインチ側シーブを介して簡易クレーン本体の荷側滑車取り付け部に取り付けた荷側滑車に巻装し、ウインチワイヤロープ先端の吊りフックを垂下可能としたこと、
を特徴としている。
請求項２記載の発明では、ブラケットの前部に、荷側滑車取り付け部に代えて荷側シーブを設けたこと、
を特徴としている。
請求項３記載の発明では、
水平面内で旋回自在なブラケットと、ブラケットの前部に設けられた荷側滑車取り付け部と、を備えた簡易クレーンが着脱自在に装着された仮設足場の構造物の内、簡易クレーンの下側に着脱自在に装着可能な基部部材と、
基部部材に水平面内で旋回自在に軸支されたウインチ側シーブ支持部材と、
ウインチ側シーブ支持部材の下部に装着されたウインチ側シーブと、
から成り、
ウインチ側シーブのロープ入り口はウインチ側シーブ支持手段の旋回軸の延長線と一致しているとともに、
ウインチ側シーブ支持部材の旋回軸が簡易クレーンのブラケット旋回軸と一致するように基部部材が仮設足場の構造物に装着可能に形成されており、
ウインチ側シーブの下方からウインチ側シーブに向けて仮設足場に沿って鉛直に上方へ配設したウインチワイヤロープをウインチ側シーブを介して簡易クレーンの荷側滑車取り付け部に取り付けた荷側滑車に巻装し、ウインチワイヤロープ先端の吊りフックを垂下可能としたこと、
を特徴としている。
請求項４記載の発明では、簡易クレーンはブラケットの前部に、荷側滑車取り付け部に代えて荷側シーブを設けてあること、
を特徴としている。
【発明の効果】
【０００７】
本発明によれば、水平面内で旋回自在なブラケットと、ブラケットの前部に設けられた荷側滑車取り付け部と、を備えた簡易クレーン本体（または簡易クレーン）が装着された仮設足場の構造物の内、簡易クレーン本体（またはブラケット）に近接した下側に補助具を装着し、補助具のウインチ側シーブの下方からウインチ側シーブに向けて仮設足場に沿って鉛直に上方へ配設したウインチワイヤロープをウインチ側シーブを介してブラケットの前側の荷側滑車または荷側シーブに巻装し、ウインチワイヤロープ先端の吊りフックを垂下したとき、ウインチ側シーブの下方のウインチワイヤロープと吊り荷の間に距離を取ることができる。また、簡易クレーン本体のブラケット旋回軸と補助具のウインチ側シーブ支持部材の旋回軸が一致するように仮設足場の構造物に装着することにより、ブラケットの旋回に追従してウインチ側シーブが旋回するが、この際、ウインチ側シーブと荷側滑車または荷側シーブの間のウインチワイヤロープがブラケットを旋回方向へ引っ張らない。加えて、ウインチ側シーブの旋回にかかわらず、ウインチ側シーブのロープ入り口位置が変化しないので、ブラケットが前向きであっても、左右に旋回した向きであっても、ウインチ側シーブの下方のウインチワイヤロープが殆ど振れず、ウインチ側シーブ下方のウインチワイヤロープがウインチ側シーブ及びブラケットを旋回方向に引っ張ることもない。従って、ブラケットを支軸を中心にして旋回自在とし、荷の吊り上げ時にブラケットを前向きとしてもウインチワイヤロープがブラケットを側方へ引っ張ることが無いので、荷揚げ中もブラケットは前向きを維持し、吊り荷がウインチワイヤロープに接触したり絡んだりしない。
また、吊り上げ後、荷を足場内に引き込む際はブラケットを旋回させて吊り荷を容易に仮説足場に近づけることができ、引き込み作業の負担が軽減する。
【図面の簡単な説明】
【０００８】
【図１】従来の簡易クレーンの設置例を示す説明図である。
【図２】本発明に係る簡易クレーンの使用状態を示す一部省略した斜視図である（実施例１）。
【図３】図２中の簡易クレーン本体と補助具の構成を示す外観斜視図である。
【図４】補助具の動作説明図である。
【図５】簡易クレーンの使用方法の説明図である。
【図６】ブラケットと補助具が連動して旋回する様子を示す説明図である。
【図７】ブラケットと補助具が連動して旋回する様子を示す説明図である。
【図８】ブラケットとウインチ側シーブの旋回軸が一致していないときの動作説明図である。
【図９】簡易クレーンの他の使用方法の説明図である。
【発明を実施するための最良の形態】
【０００９】
以下、本発明の最良の形態を実施例に基づき説明する。
【実施例１】
【００１０】
図２乃至図４を参照して本発明の一実施例を説明する。図２は本発明に係る簡易クレーンの使用状態を示す斜視図、図３は図２中の簡易クレーン本体と補助具の構成を示す外観斜視図、図４は補助具の動作説明図である。
図２において、３０はビティ仮設足場、３１はビティ仮設足場３０の最上部の建枠部材（ビティ仮設足場の構造物）、４０は建枠部材３１の前側の縦枠３１Ａの上部に設置された簡易クレーン本体、５０は簡易クレーン本体４０の下側の縦枠３１Ａに設置された補助具、１４は簡易クレーン本体４０により地上からビティ仮設足場３０の最上部の一段下のステージに荷揚げされる荷揚げ資材（足場部材) である。簡易クレーン本体４０と補助具５０により、本実施例の簡易クレーンが構成されている。
【００１１】
図３の上側に示す簡易クレーン本体４０の内、４１は基部部材としての角パイプから成る基部支柱であり、３つの締結金具（クランプ）４２により建枠部材３１の前側の縦枠３１Ａの上部に鉛直向き、かつ着脱自在に締結されている。締結金具４２は基部支柱４１に予め固着していてもよく、或いは、現場で基部支柱４１に着脱自在に装着しても良い。４３は三角枠形のブラケットであり、基部支柱４１に対して、上下２箇所の支軸４４により水平面内で前方を基準にして左右に各々９０乃至１２０度ずつ旋回可能に装着されている。ブラケット４３の上枠４５の前端には荷側滑車取り付け部としてのＵ字状の荷側滑車取り付け金具４６が固着されおり、この荷側滑車取り付け金具４６に荷側滑車４７が着脱自在に懸吊されている。
【００１２】
図３の下側に示す補助具５０の内、５１は基部部材としての角パイプから成る基部支柱であり、２つの締結金具（クランプ）５２により、建枠部材３１の前側の縦枠３１Ａの内、簡易クレーン本体４０に近接した下側に鉛直向き、かつ着脱自在に締結されている。締結金具５２は基部支柱５１に予め固着していてもよく、或いは、現場で基部支柱５１に着脱自在に装着しても良い。５３は鉛直方向に装備された角パイプから成るウインチ側シーブ支持部材であり、基部支柱５１に対して、上下２箇所の支軸５４により水平面内で前方を基準にして左右に各々９０乃至１２０度ずつ旋回可能に装着されている。ウインチ側シーブ支持部材５３の下端部には下方に延設された一組のシーブ取り付け板５５と５５がボルト止めにより装着されており、このシーブ取り付け板５５と５５の下端部にウインチ側シーブ５６が鉛直向きに装着されている。
【００１３】
図４に示す如く、ウインチ側シーブ５６のロープ入り口５６Ａはウインチ側シーブ支持部材５３の旋回方向に関わらず、支軸５４、５４の軸線（ウインチ側シーブ支持部材５３の旋回軸線）Ｃと一致したまま変化しない（図４の（１）乃至（３）は各々ウインチ側シーブ５６の前向状態、左旋回状態、右旋回状態を示す）。
なお、簡易クレーン本体４０の締結金具４２、支軸４４は補助具５０の締結金具５２、支軸５４と同一部材であり、簡易クレーン本体４０の基部支柱４１と補助具５０の基部支柱５１は同じ断面寸法の角パイプから形成されている。従って、簡易クレーン本体４０が装着された縦枠３１Ａの内、簡易クレーン本体４０の下側に補助具５０の基部支柱５１を装着する際の向きを調節することで、ブラケット４３の旋回軸Ｃ’とウインチ側シーブ支持部材５３の旋回軸（ウインチ側シーブ５６の旋回軸）Ｃを一致させることができるようになっている（図６、図７参照）。
【００１４】
図２に戻って、ビティ仮設足場３０の地上近くに２本の単管パイプ３２、３３が併設してクランプ３４により締結されており、これらの単管パイプ３２、３３にウインチ８０が装着されている。ウインチ８０は補助具５０のウインチ側シーブ５６の直下に設置されている。ウインチ８０から巻き出されたウインチワイヤロープ８１がビティ仮設足場３０に沿って鉛直上向きにウインチ側シーブ５６に向けて配設されており、ウインチ側シーブ５６の下方からウインチ側シーブ５６に巻き掛けられたのち、簡易クレーン本体４０に懸吊された荷側滑車４７に巻き掛けられて先端に装着された吊りフック８２が下方に垂下されている。
【００１５】
図２と図５は上記した簡易クレーン本体による資材荷揚げ方法の説明図、図６と図７はブラケットと補助具が連動して旋回する様子を示す説明図であり、以下、これらの図を参照して上記した実施例の作用を説明する。
図２に示す如く、予めビティ仮設足場３０の最上部の前側に、鉛直方向に配設された縦枠３１Ａの上端近くに簡易クレーン本体４０が前向きの状態で締結金具４２により締結済みであり、同じ縦枠３１Ａの内、簡易クレーン本体４０に近接した下側に補助具５０が前向きの状態で装着済みであるとする。この補助具５０は、ブラケット４３の旋回軸Ｃ’とウインチ側シーブ５６の旋回軸Ｃが一致するように装着されているものとする。簡易クレーン本体４０のブラケット４３とウインチ側シーブ５６は、左右に各々９０乃至１２０度の範囲で旋回可能としてある。
ブラケット４３の先端の荷側滑車取り付け金具４６には荷側滑車４７が懸吊してある。ウインチ側シーブ５６の直下の地上近くのビティ仮設足場３０に設置したウインチ８０から巻き出されたウインチワイヤロープ８１がビティ仮設足場３０に沿って鉛直に補助具５０のウインチ側シーブ５６に向けて上方に配設され、ウインチ側シーブ５６の下方からロープ入り口５６Ａを経由してウインチ側シーブ５６に巻装されたのち荷側滑車４７に巻装されており、下方に垂下した先端に吊りフック８２が取り付けてある。
地上に玉掛け、ウインチ８０の操作をする作業員Ａ、ビティ仮設足場３０の最上部より一段下の足場上に荷揚げ資材１４の引き込みを行う作業員Ｂが配置されているものとする。
【００１６】
図２に示す如く、簡易クレーン本体４０が前方向きの状態で、作業員Ａはリモコン９０を操作し、ウインチ８０を稼働させてウインチワイヤロープ８１を巻き出させ、吊りフック８２を地上近くまで下げる。作業員Ａは荷揚げ資材１４に玉掛けワイヤ８３で玉掛けし、玉掛けワイヤ８３を吊りフック８２に掛ける。
作業員Ａがリモコン９０の操作でウインチ８０を吊りフック上昇側に回転させ、ウインチワイヤロープ８１を巻き上げて荷揚げ資材１４を上昇させる。
【００１７】
荷揚げ資材１４がビティ仮設足場３０の最上部の一段下まで上がったところで、作業員Ａはウインチ８０を停止し、作業員Ｂが荷揚げ資材１４をブラケット４３とともに旋回させて荷揚げ資材１４をビティ仮設足場３０に近づけ、ビティ仮設足場３０の最上部より一段下に取り込む（図５参照）。
ウインチ側シーブ５６を有する補助具５０が簡易クレーン本体４０の装着された縦枠３１Ａの内、簡易クレーン本体４０に近接したすぐ下側に装着されており、またウインチ８０がウインチ側シーブ５６の直下に設置されていて、ウインチ８０とウインチ側シーブ５６の間のウインチワイヤロープ８１がビティ仮設足場３０の前面近くを通って鉛直上向きに配設されているので、ウインチワイヤロープ８１と吊りフック８２に懸吊された荷揚げ資材１４との間に水平距離を取ることができる。
【００１８】
また、ブラケット４３の旋回軸Ｃ’と、ウインチ側シーブ支持部材５３及びウインチ側シーブ５６の旋回軸Ｃが一致するように簡易クレーン本体４０、補助具５０を縦枠３１Ａに装着してあるので、荷揚げ資材１４の取り込みでブラケット４３の向きが作業員Ｂから見て左方に変わると（図６の矢印Ａ参照）、ウインチワイヤロープ８１から旋回力を受けたウインチ側シーブ５６が容易に追従して左方に旋回する（図６の矢印ａ参照）。反対に、荷揚げ資材１４の取り込みでブラケット４３の向きが作業員Ｂから見て右方に変わったときも（図７の矢印Ｂ参照）、ウインチワイヤロープ８１から旋回力を受けたウインチ側シーブ５６が容易に追従して右方に旋回する（図７の矢印ｂ参照）。但し、ブラケット４３が或る方向に向き、ウインチ側シーブ５６が当該或る方向へ追従変化したあとは、ブラケット４３とウインチ側シーブ５６の旋回軸Ｃ’、Ｃが一致していることから、ウインチ側シーブ５６とブラケット４３の間のウインチワイヤロープ８１がブラケット４３に旋回力を加えることはない。
この点、仮にブラケット４３とウインチ側シーブ５６の旋回軸Ｃ’、Ｃが一致しておらず、例えば図８に示す如くウインチ側シーブ５６の旋回軸Ｃがブラケット４３の旋回軸Ｃ’より前方に来ているとき、ブラケット４３を前向きから左旋回させようとすると（図８の矢印Ａ’参照）、ウインチ側シーブ５６とブラケット４３の間のウインチワイヤロープ８１がブラケット４３を前向きに戻す方向に引っ張ってしてしまう（図８の矢印Ｄ参照）。
【００１９】
また、補助具５０のウインチ側シーブ５６のロープ入り口５６Ａが支軸５４の軸線Ｃと一致するように配設されているので、ウインチ側シーブ５６の旋回にかかわらず、ロープ入り口５６Ａの位置が変化しない。従って、ブラケット４３が前向きであっても、左右に旋回した向きであってもウインチ側シーブ５６から下方のウインチ８０までのウインチワイヤロープ８１は殆ど振れず、ウインチ側シーブ５６の下方のウインチワイヤロープ８１がウインチ側シーブ５６、ブラケット４３を旋回方向に引っ張ることもない。
従って、ブラケット４３を支軸４４を中心にして旋回自在とし、荷の吊り上げ時にブラケット４３を前向きとしてもウインチワイヤロープ８１がブラケット４３を側方へ引っ張ることが無いので、荷揚げ中もブラケット４３は前向きを維持し、荷揚げ資材１４がウインチワイヤロープ８１に接触したり絡んだりすることはない。
吊り上げ後、吊り荷の荷揚げ資材１４をビティ仮設足場３０内に引き込む際は、ブラケット４３を旋回させて吊り荷の荷揚げ資材１４を容易にビティ仮設足場３０に近づけることができ、荷の引き込み作業の負担が軽減する。
【００２０】
この実施例によれば、水平面内で旋回自在なブラケット４３と、ブラケット４３の前部に設けられた荷側滑車取り付け金具４６と、を備えた簡易クレーン本体４０が装着されたビティ仮設足場３０の建枠部材３１の内、簡易クレーン本体４０に近接した下側に補助具５０を装着し、補助具５０のウインチ側シーブ５６の直下の地上近くにウインチ８０を設置し、このウインチ８０からウインチ側シーブ５６に向けてビティ仮設足場３０の前面近くに沿って鉛直に上方へ配設したウインチワイヤロープ８１をウインチ側シーブ５６を介してブラケット４３の前側の荷側滑車取り付け金具４６に掛装した荷側滑車４７に巻装し、ウインチワイヤロープ８１の先端の吊りフック８２を垂下したとき、ウインチ側シーブ５６の下方のウインチワイヤロープ８１と吊り荷の間に距離を取ることができる。
また、簡易クレーン本体４０のブラケット４３の旋回軸Ｃ’と、補助具５０のウインチ側シーブ支持部材５３及びウインチ側シーブ５６の旋回軸Ｃが一致するようにビティ仮設足場３０の建枠部材３１に装着することにより、ブラケット４３の旋回に追従してウインチ側シーブ５６が旋回するが、この際、ブラケット４３が或る方向に旋回したのちはウインチ側シーブ５６と荷側滑車４７の間のウインチワイヤロープ８１がブラケット４３を旋回方向へ引っ張らない。加えて、ウインチ側シーブ５６の旋回にかかわらず、ウインチ側シーブ５６のロープ入り口５６Ａの位置が変化しないので、ブラケット４３が前向きであっても、左右に旋回した向きであっても、ウインチ側シーブ５６の下方のウインチワイヤロープ８１が殆ど振れず、ウインチ側シーブ５６下方のウインチワイヤロープ８１がウインチ側シーブ５６及びブラケット４３を旋回方向に引っ張ることもない。従って、ブラケット４３を支軸４４を中心にして旋回自在とし、荷の吊り上げ時にブラケット４３を前向きとしてもウインチワイヤロープ８１がブラケット４３を側方へ引っ張ることが無いので、荷揚げ中もブラケット４３は前向きを維持し、吊り荷がウインチワイヤロープ８１に接触したり絡んだりしない。
また、吊り上げ後、荷揚げ資材１４をビティ仮設足場３０内に引き込む際はブラケット４３を旋回させて荷揚げ資材４３を容易にビティ仮説足場３０に近づけることができ、引き込み作業の負担が軽減する。
【００２１】
なお、上記した実施例では、ブラケットの前部に荷側滑車取り付け部としての荷側滑車取り付け金具を設け、この荷側滑車取り付け金具に荷側滑車を着脱自在に懸吊可能としたが、ブラケットの前部に、荷側滑車取り付け金具に代えて荷側シーブを装着し、ウインチから巻き出されたウインチワイヤロープを補助具のウインチ側シーブを介して簡易クレーン本体の荷側シーブに巻装し、先端の吊りフックを下方へ垂下するようにしても良い。
【００２２】
また、上記した実施例では、ウインチをウインチ側シーブの直下で仮設足場の地上近くに設置する場合を例に挙げて説明したが、本発明は何らこれに限定されず、ウインチをウインチ側シーブの直下で地上近くに設置し難い場合や、仮設足場が高い場合などには、仮設足場の上部など他の場所に設置しても良く、要はウインチから巻き出したウインチワイヤロープをウインチ側シーブの下方からウインチ側シーブに向けて仮設足場に沿って鉛直に上方へ配設し、ウインチ側シーブを介して簡易クレーンの荷側滑車取り付け部に取り付けた荷側滑車、または簡易クレーンの前部に設けた荷側シーブに巻装し、ウインチワイヤロープ先端の吊りフックを下方へ垂下するようにすれば良い。
【００２３】
具体的には図９に示す如く、ビティ仮設足場３０の最上部前面側で、簡易クレーン本体４０の装着された建枠部材３０の側方の建枠部材１００、１０１の上端部に２本の単管パイプ１０２、１０３が併設して水平方向にクランプ１０４により締結されており、これらの単管パイプ１０２、１０３の建枠部材１０１寄りにウインチ８０が装着されている。建枠部材１０１の下側の建枠部材１０５と建枠部材３０の下側の建枠部材１０６の下端近くに水平に単管パイプ１０７がクランプ１０８により締結されており、この単管パイプ１０７にクランプ１１０により単管パイプ１０９が前側に平行に締結されている。建枠部材１０５、１０６の内、単管パイプ１０７より少し上側に単管パイプ１１１がクランプ１１２により水平に締結されている。図９における単管パイプ１０９の左端と単管パイプ１１１の内の建枠部材１０５の右側の間に、ワイヤ１１３とチェーンブロック１１４により配設された滑車１１５が設けられている。また、図９における単管パイプ１０９の右端と単管パイプ１１１の内の建枠部材１０６の左側の間に、ワイヤ１１６とチェーンブロック１１７により配設された滑車１１８が設けられている。ウインチ８０から巻き出されたウインチワイヤロープ８１は建枠部材１０１、１０５に沿って下方へ配設されて、滑車１１５、１１８に巻き掛けられたのち、建枠部材１０６、３０に沿って上方へ配設されて補助具５０のウインチ側シーブ５６、簡易クレーン本体４０の荷側滑車４７に巻き掛けられて吊りフック８２が下方へ垂下されている。ワイヤ１１３とチェーンブロック１１４を調節することにより、ウインチ８０と滑車１１５の間のウインチワイヤロープ８１が、ビティ仮設足場３０の前面に沿って前面近くをほぼ鉛直に下方へ延設されるようにしており、ワイヤ１１６とチェーンブロック１１７を調節することにより、滑車１１８とウインチ側シーブ５６の間のウインチワイヤロープ８１が、ビティ仮設足場３０の前面に沿って前面近くを鉛直に上方へ延設されるようにしている。
【００２４】
図９の簡易クレーンの設置例によれば、ビティ仮設足場３０の最上部にウインチ８０を設置した場合でも、図２と同様に、ウインチワイヤロープ８１が吊り荷と接触したり、絡まったりせず、またウインチワイヤロープ８１がブラケット４３を不用意に旋回方向へ引っ張ったりしないようにできる。
【００２５】
また、上記した実施例では、簡易クレーン本体と補助具を組にして簡易クレーンとする場合を例に挙げたが、本願は、上記した実施例の簡易クレーン本体自体を簡易クレーンとし、この簡易クレーンと組にして使用する補助具の発明も含むものである。
【産業上の利用可能性】
【００２６】
本発明は、マンション、ビル等の建築物の新築・改修工事現場等に設置される架設足場の上で使用するクレーンに適用できる。
【符号の説明】
【００２７】
１４  荷揚げ資材
３０  ビティ仮設足場
３１  建枠部材
４０  簡易クレーン本体
４１、５１  基部支柱
４２、５２  締結金具
４３  ブラケット
４４、５４  支軸
４５  上枠
４６  荷側滑車取り付け金具
４７  荷側滑車
５０  補助具
５３  ウインチ側シーブ支持部材
５６  ウインチ側シーブ
８０  ウインチ
８１  ウインチワイヤロープ
８２  吊りフック
８３  玉掛けワイヤ
【図１】
2018003492.tif 000003
【図２】
2018003492.tif 000004
【図３】
2018003492.tif 000005
【図４】
2018003492.tif 000006
【図５】
2018003492.tif 000007
【図６】
2018003492.tif 000008
【図７】
2018003492.tif 000009
【図８】
2018003492.tif 000010
【図９】
2018003492.tif 000011